(57)【要約】【課題】発音素子のシール性を向上させることが可能な表示装置を提供する。【解決手段】表示器１と、回路基板２と、発音素子３と、前方ケース４と、背後ケース５と、を有し、背後ケース５には放音孔５１と、導音空間ＳＳを形成する仕切り壁５２とが形成され、この仕切り壁５２と発音素子３との間にシール部材６を設けてなる表示装置において、仕切り壁５２が放音孔５１を取り巻いて背後ケース５と前方ケース４との結合方向に伸びる突出部からなり、発音素子３は前記結合方向において仕切り壁５２及び放音孔５１に対向する対向部３１を有し、この対向部３１と仕切り壁５２の先端との間にシール部材６が圧縮状態で配置される。【選択図】図１
2011111056.tif 000002
【特許請求の範囲】
【請求項１】
表示器と、この表示器の背後に配置される回路基板と、この回路基板の背後に設けられる発音素子と、表示器の前方側を透視可能に覆う前方ケースと、この前方ケースとの間に前記表示器と前記回路基板と前記発音素子とを収納する背後ケースと、を有し、背後ケースには前記発音素子の音を外部に放出する放音孔と、この放音孔に発音素子の音を導く導音空間を形成する仕切り壁とが形成され、この仕切り壁と発音素子との間にシール部材を設けてなる表示装置において、前記仕切り壁が前記放音孔を取り巻いて前記背後ケースと前記前方ケースとの結合方向に伸びる突出部からなり、前記発音素子は前記結合方向において前記仕切り壁及び前記放音孔に対向する対向部を有し、この対向部と前記仕切り壁の先端との間に前記シール部材が圧縮状態で配置されることを特徴とする表示装置。
【請求項２】
前記仕切り壁の先端部の幅を前記シール部材の幅よりも小さくしたことを特徴とする請求項１記載の表示装置。
【請求項３】
前記放音孔を通気性と防水性を兼ね備えた多孔質膜により覆ったことを特徴とする請求項１記載の表示装置。
【発明の詳細な説明】
【技術分野】
【０００１】
本発明は、例えば自動車やオートバイ、農機、建機の車両用計器として使用される表示装置に関し、特にスピーカやブザー等の発音素子のシール構造に関する。
【背景技術】
【０００２】
この種の表示装置として例えば下記特許文献１に記載されたものが知られている。この表示装置は、指針式計器等からなる表示器（表示部）と、この表示器の背後に配置される回路基板（基板）と、この回路基板の背面側に設けられる発音素子（ブザー）と、表示器の前方側を透視可能に覆う前方ケース（メータケース）と、この前方ケースとの間に形成される空間内に表示器と回路基板と発音素子とを収納する背後ケース（ロアケース）と、を有している。背後ケースには発音素子の音を外部に放出する放音孔（貫通孔）と、この放音孔に発音素子の音を導く導音空間を形成する仕切り壁（リブ）とが形成され、この仕切り壁の壁面と発音素子との間にはシール部材が設けられ、このシール部材によって水や塵埃の侵入を防ぐと共に発音素子の音が内部に漏れることにより生じる音圧低下を防いでいる。
【先行技術文献】
【特許文献】
【０００３】
【特許文献１】特開２００９−１５４８５７号公報（図６）
【発明の開示】
【発明が解決しようとする課題】
【０００４】
しかしながら、前記特許文献１記載の表示装置は、発音素子の外周壁の壁面と仕切り壁の壁面との間にパッキンを介在させる構成であるため、仕切り壁の変形（拡径）や寸法誤差等によりシール部材を十分に圧縮できないことが懸念され、シール性（遮音性、防水性、防塵性）の点で改良の余地があった。また前記特許文献１記載の表示装置によれば、シール部材によって内部への水や塵埃の侵入を防ぐことはできるが、発音素子が水や塵埃に晒されてしまうことを防止することができない。
【０００５】
そこで、本発明は前述した問題点に着目し、発音素子のシール性を向上させることが可能な表示装置を提供することを目的とする。
【課題を解決するための手段】
【０００６】
本発明は、表示器と、この表示器の背後に配置される回路基板と、この回路基板の背後に設けられる発音素子と、表示器の前方側を透視可能に覆う前方ケースと、この前方ケースとの間に前記表示器と前記回路基板と前記発音素子とを収納する背後ケースと、を有し、背後ケースには前記発音素子の音を外部に放出する放音孔と、この放音孔に発音素子の音を導く導音空間を形成する仕切り壁とが形成され、この仕切り壁と発音素子との間にシール部材を設けてなる表示装置において、前記仕切り壁が前記放音孔を取り巻いて前記背後ケースと前記前方ケースとの結合方向に伸びる突出部からなり、前記発音素子は前記結合方向において前記仕切り壁及び前記放音孔に対向する対向部を有し、この対向部と前記仕切り壁の先端との間に前記シール部材が圧縮状態で配置されることを特徴とする。
このように構成することにより、発音素子の対向部と仕切り壁の先端との間で、シール部材を背後ケースと前方ケースとの結合方向に圧縮できるため、シール部材を十分に圧縮でき、シール性を向上させることができる。これにより遮音性を高めて音圧を確保でき、また外部からの水や塵埃の侵入を抑え、防水性、防塵性を向上させることができる。
【０００７】
また本発明は、前記仕切り壁の先端部の幅を前記シール部材の幅よりも小さくしたことを特徴とする。
これにより、シール部材の圧縮力を高めることができ、また仕切り壁の先端部とシール部材とが多少位置ずれしてもシール性を確保でき、組付け作業性を向上させることができる。
【０００８】
また本発明は、前記放音孔を通気性と防水性を兼ね備えた多孔質膜により覆ったことを特徴とする。
これにより、放音機能を保ちながら発音素子の防水、防塵が可能となり、発音素子を保護することができる。
【発明の効果】
【０００９】
本発明によれば、発音素子のシール性を向上させることが可能な表示装置を提供することができる。
【図面の簡単な説明】
【００１０】
【図１】本発明の第１の実施形態による表示装置の要部断面図（ハッチング省略）。
【図２】本発明の第２の実施形態による表示装置の要部断面図（ハッチング省略）。
【発明を実施するための形態】
【００１１】
本発明の第１の実施形態による表示装置は、例えば車両の計器であり、表示器１と、回路基板２と、発音素子３と、前方ケース４と、背後ケース５とで構成されている。
【００１２】
表示器１は、例えば液晶表示器からなるもので、様々な画像情報を表示する。この表示器はホルダ１１を介して回路基板２上に固定配置されている。
【００１３】
回路基板２は、例えば紙フェノールやガラスエポキシ等の絶縁部材に回路パターンを印刷してなる硬質の一枚配線基板からなり、表示器１及び発音素子３と接続されている。
【００１４】
発音素子３は、例えばスピーカからなるもので、様々な音、音声情報を出力する。この発音素子３は回路基板２の背後に実装配置されている。
【００１５】
前方ケース４は、例えば透明な合成樹脂からなる透明部と、不透明な合成樹脂からなる遮蔽部とを有する有底枠体であり、背後ケース５側に開口し、底部に位置する透明部から表示器１を透視可能である。
【００１６】
背後ケース５は、例えば半透明な合成樹脂からなる有底枠体であり、前方ケース４側に開口しており、前方ケースとの間に表示器１と回路基板２と発音素子３とを収納する。
【００１７】
この背後ケース５の底壁部には、発音素子３の音を外部に放出する放音孔５１と、この放音孔５１に発音素子３の音を導く導音空間ＳＳを形成する仕切り壁５２とが形成され、この仕切り壁５２と発音素子３との間にはシール部材６を設けてなる。
【００１８】
放音孔５１は、複数の孔からなり、これにより、後述する多孔質膜の貼着しろを確保し、貼着強度を向上させている。
【００１９】
仕切り壁５２は、放音孔５１を取り巻いて背後ケース５と前方ケース４との結合方向（図１中、両矢印参照）に伸びる筒状（円筒状）の突出部からなり、この仕切り壁５２により形成された導音空間ＳＳによって音圧の確保と音の内部漏洩を抑え、結果、放音孔５１に発音素子３の音を導くようにしている。
【００２０】
発音素子３は、この場合、円柱状の外形形状を有し、結合方向において仕切り壁５２の長手方向先端部及び放音孔５１に対向する円形の対向部３１を有し、この対向部３１と仕切り壁５２の先端部との間にシール部材６が圧縮状態で配置されている。
【００２１】
このシール部材６は、例えば仕切り壁５２の先端部の形状に対応した円形の発泡被膜スポンジからなり、その幅Ｗ１は、仕切り壁５２の先端部の幅Ｗ２よりも大きく形成されている。
【００２２】
また本実施形態の場合、放音孔５１は、その内側より、通気性と防水性を兼ね備えた多孔質膜（例えばふっ素樹脂多孔質フィルム）７により覆われている。この多孔質膜７は、背後ケース５に対面する側に図示しない粘着層を備えており、この粘着層を通じて放音孔５１を含むように背後ケース５に貼着される。
【００２３】
以上のように本実施形態によれば、表示器１と、この表示器１の背後に配置される回路基板２と、この回路基板２の背後に設けられる発音素子３と、表示器１の前方側を透視可能に覆う前方ケース４と、この前方ケース４との間に表示器１と回路基板２と発音素子３とを収納する背後ケース５と、を有し、背後ケース５には発音素子３の音を外部に放出する放音孔５１と、この放音孔５１に発音素子３の音を導く導音空間ＳＳを形成する仕切り壁５２とが形成され、この仕切り壁５２と発音素子３との間にシール部材６を設けてなる表示装置において、仕切り壁５２が放音孔５１を取り巻いて背後ケース５と前方ケース４との結合方向に伸びる突出部からなり、発音素子３は前記結合方向において仕切り壁５２及び放音孔５１に対向する対向部３１を有し、この対向部３１と仕切り壁５２の先端との間にシール部材６が圧縮状態で配置されることにより、発音素子３の対向部３１と仕切り壁５２の先端との間で、シール部材６を背後ケース５と前方ケース４との結合方向に圧縮できるため、シール部材６を十分に圧縮でき、シール性を向上させることができる。これにより遮音性を高めて音圧を確保でき、また外部からの水や塵埃の侵入を抑え、防水性、防塵性を向上させることができる。
【００２４】
また本実施形態では、仕切り壁５２の先端部の幅Ｗ２をシール部材６の幅Ｗ１よりも小さくしたことにより、シール部材６の圧縮力を高めることができ、また仕切り壁５２の先端部とシール部材６とが多少位置ずれしてもシール性を確保でき、組付け作業性を向上させることができる。
【００２５】
また本実施形態では、放音孔５１を通気性と防水性を兼ね備えた多孔質膜７により覆ったことにより、放音機能を保ちながら発音素子３の防水、防塵が可能となり、発音素子３を保護することができる。
【００２６】
なお多孔質膜７は、本発明の第２の実施形態として図２に示すように背後ケース５の外壁面に設けてもよい。
【符号の説明】
【００２７】
１  表示器
２  回路基板
３  発音素子
４  前方ケース
５  背後ケース
６  シール部材
７  多孔質膜
３１  対向部
５１  放音孔
５２  仕切り壁
ＳＳ  導音空間
Ｗ１，Ｗ２  幅
【図１】
2011111056.tif 000003
【図２】
2011111056.tif 000004